(57)【要約】【課題】情報の改竄を防止できる光ディスクを提供する。【解決手段】光透過性基板６上に少なくとも書き換え可能な記録層７が形成され、光透過性基板６側から記録用レーザ光を照射して記録層７に情報を記録する際、光透過性基板６と記録層７との間、又は光透過性基板６上に所定の波長のレーザ光を照射することにより着色する改竄防止層９が形成され、改竄防止層９は、着色前では、記録用レーザ光に対して８０％以上の透過率を有し、着色後では、記録用レーザ光或いは再生用レーザ光に対して３０％〜６０％の透過率を有している。【選択図】      図２
2009054241.tif 000002
【特許請求の範囲】
【請求項１】
光透過性基板上に少なくとも書換え可能な記録層が形成され、前記光透過性基板側から記録用レーザ光を照射して前記記録層に情報を記録する光ディスクにおいて、
前記光透過性基板と前記記録層との間、又は前記光透過性基板上に、所定の波長のレーザ光を照射することにより着色する改竄防止層が形成され、前記改竄防止層は、着色前では、前記記録用レーザ光に対して８０％以上の透過率を有し、着色後では、前記記録用レーザ光或いは再生用レーザ光に対して３０％〜６０％の透過率を有していることを特徴とする光ディスク。
【請求項２】
前記改竄防止層の着色後の領域は、前記記録用レーザ光或いは再生用レーザ光のパワーキャリブレションを行うためのパワーキャリブレーション領域は除かれていることを特徴とする請求項１に記載の光ディスク。
【発明の詳細な説明】
【技術分野】
【０００１】
本発明は、データを記録した後、データの改竄を防止することができる光ディスクに関する。
【背景技術】
【０００２】
書き換え可能な光ディスクは、追記型の光ディスクでは不可能な記録後の修正や編集ができるなどの便利な特徴を有している。この書き換え可能な光ディスクには、記録された情報を長期間安定に保存することや一旦記録された公文書、医療データが改竄されないようにすることも求められている。
こうしたことに対応した書き換え可能な光ディスクが特許文献１に記載されている。
【０００３】
特許文献１には、書換え可能光ディスクの書込み用トラックのうちに通常の情報記録用トラックとは別に書込み禁止を指示する情報を記録するための書込み禁止指示トラックを限定して設け、通常の情報を光ディスクに書込むこと或いは書換えることを禁止する場合には上記光ディスクの書込み禁止トラックに書込みを禁止する書込み禁止フラグを記録し、通常の情報を光ディスクに書込む場合には書込み動作に入る前に書込み禁止トラックを検索して書込み禁止フラグがあれば書込みを受付けず、なければ書込み動作を実行するようにする書込み禁止方法が記載されている。
【特許文献１】特開昭６２−１２０６６２号公報
【発明の開示】
【発明が解決しようとする課題】
【０００４】
しかしながら、この書込み禁止方法では、書込み禁止フラグが記録されていたとしても、この情報を無効にする手段を用いて、この書込み禁止フラグを無視できるようにしてしまえば、情報が改竄されてしまうといった問題があった。
【０００５】
そこで本発明は、上記課題を解決するべく、禁止フラグが無視されても書込まれた情報の改竄を防止できる光ディスクを提供することを目的とするものである。
【課題を解決するための手段】
【０００６】
上記目的を達成するための手段として、第１の発明は、光透過性基板上に少なくとも書換え可能な記録層が形成され、前記光透過性基板側から記録用レーザ光を照射して前記記録層に情報を記録する光ディスクにおいて、
前記光透過性基板と前記記録層との間、又は前記光透過性基板上に、所定の波長のレーザ光を照射することにより着色する改竄防止層が形成され、前記改竄防止層は、着色前では、前記記録用レーザ光に対して８０％以上の透過率を有し、着色後では、前記記録用レーザ光或いは再生用レーザ光に対して３０％〜６０％の透過率を有していることを特徴とする光ディスクを提供する。
第２の発明は、前記改竄防止層の着色後の領域は、前記記録用レーザ光或いは再生用レーザ光のパワーキャリブレションを行うためのパワーキャリブレーション領域は除かれていることを特徴とする前記第１の発明に記載の光ディスクを提供する。
【発明の効果】
【０００７】
本願発明によれば、光透過性基板と記録層との間、又は光透過性基板上に、所定の波長のレーザ光を照射することにより着色する改竄防止層が形成され、前記改竄防止層は、着色前では、記録用レーザ光に対して８０％以上の透過率を有し、着色後では、記録用レーザ光或いは再生用レーザ光に対して３０％〜６０％の透過率を有しているので、記録層に到達した際の記録用レーザ光のパワーが減少するため、記録はできず、再生だけを可能とすることができ、記録後に情報の改竄を防止できる。
【発明を実施するための最良の形態】
【０００８】
以下、本発明の実施の形態につき、好ましい実施例により、図面を参照して説明する。
図１は、本発明の実施の形態における光ディスクの平面図である。
図２は、図１のＭＭ断面図である。
図３は、記録用レーザ光のストラテジを示す図である。
本発明の実施の形態における光ディスク１は、図１に示すように、中心に中心孔Ｃを有し、この中心孔Ｃから外周側に向かって、リードイン領域２と、パワーキャリブレーション領域３と、データ領域４と、リードアウト領域５とが順次形成されている。
また、光ディスク１の積層方向には、図２に示すように、基板６上に書き換え可能な情報記録層７と、分離層８と、改竄防止層９と、光透過性基板１０とが順次積層されている。
パワーキャリブレーション領域３は、記録用レーザ光或いは再生用レーザ光のパワーキャリブレーションを行うための領域である。
【０００９】
情報の記録再生は、レンズ１１を介して記録用レーザ光を光透過性基板６側から照射し、この記録再生用レーザ光をレンズ１１により情報記録層７に集光させて行う。また、改竄防止層９の着色は、シリンドリカルレンズ１２を介して着色用レーザ光を光透過性基板６側から照射し、この着色用レーザ光をレンズ１１により改竄防止層９に集光させ、この着色用レーザ光による加熱し、光学特性を変化させて行う。
【００１０】
基板６は、表面にグルーブが０．７４μｍのピッチを有して、同心円状又は螺旋状に形成されている。このウォブルは、アドレス情報などに用いられる。
基板６の材料としては、記録用レーザ光に対して透過率が８０％以上であるポリカーボネート樹脂などが用いられる。
【００１１】
情報記録層７は、基板６側から順に反射層７Ａと、第１誘電体層７Ｂと、相変化記録層７Ｃと、第２誘電体層７Ｄとが積層された構成を有する。
情報記録層７の各層は、真空蒸着法やスパッタ法により形成される。
反射層７Ａの厚さは、１０ｎｍ〜２００ｎｍが好ましく、その材料としては、Ａｇ、Ｔｉ、Ａｕ、Ａｌ系の金属が用いられる。
ここでは、反射層７Ａの厚さは、８０ｎｍであり、その材料としては、Ａｇ系合金である。
【００１２】
第１、第２誘電体層７Ｂ、７Ｄは、５ｎｍ〜１００ｎｍが好ましく、その材料としては、Ｓｉ系やＡｌ系の酸化物や窒化物が用いられる。
ここでは、第１誘電体層７Ｂの厚さは、１０ｎｍであり、第２誘電体層７Ｄの厚さは、６０ｎｍであり、これらの誘電体層７Ｂ、７Ｄの材料としては、ＺｎＳ−ＳｉＯ2である。
相変化記録層７Ｃの厚さは、５ｎｍ〜４０ｎｍが好ましく、その材料としては、Ｓｂ又はＴｅを代表とするカルコゲナイド系の合金が用いられる。
ここでは、相変化記録層７Ｃの厚さは、１０ｎｍであり、その材料としては、ＡｇＩｎＳｂＴｅである。
【００１３】
改竄防止層９は、記録再生用レーザ光を透過させる一方、着色用レーザ光を吸収し、発熱により着色する必要があるので、改竄防止層９は、透過率が記録再生用レーザ光に対しては８０％以上必要であり、反射率が着色用レーザ光に対しては少なくとも１０％以上が必要であり、望ましくは２０％以上が必要である。上記したことを効果的に行うために、記録再生用レーザ光の波長に対しては反射率が低く、それ以外の光に対しては発射率が高いダイクロイックミラー等の波長選択半透明膜を改竄防止層９に組み合わせることもできる。この波長選択半透明膜としては、ＡｌＯｘ、ＳｉＮｘ、ＳｉＯｘ、ＳｉＨｘ等の誘電体や金属薄膜若しくはこれらの組み合わせたものを用いることができる。
また、改竄防止層９は、着色後には、記録再生用レーザ光に対しては透過率が３０％〜６０％であることが望ましい。
このため、記録再生用レーザ光と着色用レーザ光とは異なった波長のレーザ光を用いることが必要となる。
【００１４】
改竄防止層９の厚さは、５μｍであり、その材料としては、スピロピラン系色素、アゾメチン系色素などのサーモクロミック色素、１−ヒドロキシアントランキノン系色素、熱によって顕色剤と反応して着色するロイコ系色素、トリフェニルメタン、トリフェニルメタンフタリド、フルオラン、インドリルフタリドなどの骨格を有する色素若しくは無機系のカルコゲナイド系材料を用いることができる。
ここでは、改竄防止層９の材料としては、ロイコ系色素とロイコ系色素を発色させるフェノ−ル系化合物からなる電子受容性顕色剤を用いている。この電子受容性顕色剤は、スピンコート法により形成できる。
分離層８は、透過率が記録再生用レーザ光に対して８０％以上必要であり、ここでは、８５％である。
【００１５】
分離層８の厚さは、１μｍ〜１００μｍが好ましく、その材料としては、記録用紫外線硬化樹脂などが用いられる。
光透過性基板１０は、厚さが０．５８ｍｍであり、その材料としては、記録再生用レーザ光を８０％以上透過するガラス、アクリル樹脂やポリカーボネート樹脂などが用いられる。
【００１６】
パワーキャリブレーション領域３における改竄防止層９は、着色させない。
以下に、この理由について説明する。
パワーキャリブレーション領域３における改竄防止層９を着色してしまうと、この改竄防止層９で一部が吸収される。改竄防止層９が全面的に形成された光ディスク１に記録する場合には、パワーキャリブレーション領域３における改竄防止層９が着色されていると、光ディスク１を改竄しようとする記録再生装置によってパワーキャリブレーション領域３で求められたキャリブレ条件を用いて、情報記録層７の相変化記録層７Ｃに記録を行うことができるため、改竄防止の機能を果たさなくなってしまう。
このため、上記したように、パワーキャリブレーション領域３における改竄防止層９は、着色させないのである。
【００１７】
次に、情報記録層７の相変化記録層７Ｃに情報を記録した後、再生が可能かどうかについて調べた。
まずは、光透過性基板１０側から波長６５０ｎｍの記録用レーザ光を情報記録層７の相変化記録層７Ｃに照射して、予めパワーキャリブレーション領域３で求められた図３に示す記録用レーザ光のピークパワーを７ｍＷ、イレースパワーを３ｍＷ、ボトムパワーを０．２ｍＷとするストラテジにより、情報を記録した。
【００１８】
このときの情報記録層７の反射層７Ａでの反射率は、２８％であった。
ここで用いた信号は、８／１６変調信号である。
この状態で、光透過性基板１０側から０．８ｍＷで波長６５０ｎｍの再生用レーザ光を情報記録層７の相変化記録層７Ｃに照射して、ジッタを調べたところ７．５％であった。更に、相変化記録層７Ｃに１０００回以上の書き換えを行っても、再生する際のジッタは７．５％であった。
【００１９】
次に、光透過性基板１０側から波長４０５ｎｍの着色用レーザ光をパワーキャリブレーション領域３以外の改竄防止層９に照射して、着色した。
具体的には、この着色は、着色用レーザ光をシリンドリカルレンズ１２に入射させることによって半径方向に１００μｍ、円周方向に１μｍのスポット形状にして改竄防止層９に照射した状態で、光ディスク１を１０ｍ／ｓのＣＬＶで回転させて行う。
上記と同様にして、記録再生用レーザ光を相変化記録層７Ｃに照射したときの情報記録層７の反射層７Ａでの反射率は、１０％であった。
記録再生用レーザ光を相変化記録層７Ｃに照射してジッタを調べたところ、８％であり、改竄防止層７に着色する前と同様であり、良好な再生が可能であることがわかった。
【００２０】
次に、予めリードイン領域２における相変化記録層７Ｃに記録されている記録防止フラグを無視して、相変化記録層７Ｃに記録を行い、再生した際のジッタを調べたところ、１１％であった。このとき、相変化記録層７Ｃへの書き換えは行われなかった。
この場合は、上記したものと比較するとジッタは、悪かったが、エラー訂正を行うことによって再生可能となった。
【００２１】
本発明の実施の形態によれば、着色前では、記録用レーザ光に対しては８０％以上の透過率を有し、着色後では、記録再生用レーザ光に対して３０％〜６０％の透過率を有する改竄防止層７を備えているので、相変化記録層７Ｃに到達する記録用レーザ光のパワーが減少するため、記録はできず、再生だけを可能とすることができ、記録後に情報の改竄を防止できる。
【００２２】
次に、本発明の実施の形態の変形例について図４を用いて説明する。
図４は、本発明の変形例における光ディスクの断面図である。
本発明の変形例の光ディスク１３は、図４に示すように、図１の光ディスク１の改竄防止層９が基板６上に形成されたものであり、それ以外は同様である。
光ディスク１３の記録再生用レーザ光及び着色用レーザ光の照射は、基板６側から行う。
【００２３】
本発明の変形例の光ディスク１３によっても、実施の形態と同様な評価を行ったところ同様な効果が得られた。
なお、光ディスク１３は、改竄防止層９が表面に露出しているため研磨や清掃する市販のディスクリペアキット等で容易に剥離されてしまうことがあるので、これを防止するために改竄防止層９表面にハードコートを施すと良い。
【図面の簡単な説明】
【００２４】
【図１】本発明の実施の形態における光ディスクの平面図である。
【図２】図１のＭＭ断面図である。
【図３】記録用レーザ光のストラテジを示す図である。
【図４】本発明の変形例における光ディスクの断面図である。
【符号の説明】
【００２５】
１、１３…光ディスク、２…リードイン領域、３…パワーキャリブレーション領域、４…データ領域、５…リードアウト領域、６…基板、７…情報記録層、７Ａ…反射層、７Ｂ、７Ｄ…第１誘電体層、７Ｃ…相変化記録層、８…分離層、９…改竄防止層、１０…光透過性基板、１１…レンズ、１２…シリンドリカルレンズ。
【図１】
2009054241.tif 000003
【図２】
2009054241.tif 000004
【図３】
2009054241.tif 000005
【図４】
2009054241.tif 000006